(57)【要約】【課題】二つのマイクロプロセッサ間で状態認識にずれが発生しないようにすることができる映像表示装置を提供する。【解決手段】映像表示装置は、文字コードと前記文字コードに対応する文字を表示する位置の情報又は前記文字コードに対応する文字の表示順序の情報とからなるデータ要素を複数有する文字列データを送信する第１のマイクロプロセッサと、前記第１のマイクロプロセッサから送信される前記文字列データを受信し、前記文字列データを用いて映像信号を生成する第２のマイクロプロセッサと、前記第２のマイクロプロセッサによって生成される映像信号に従って映像を表示する表示部とを備える。【選択図】図１
2009288367.tif 000002
【特許請求の範囲】
【請求項１】
文字コードと前記文字コードに対応する文字を表示する位置の情報又は前記文字コードに対応する文字の表示順序の情報とからなるデータ要素を複数有する文字列データを送信する第１のマイクロプロセッサと、
前記第１のマイクロプロセッサから送信される前記文字列データを受信し、前記文字列データを用いて映像信号を生成する第２のマイクロプロセッサと、
前記第２のマイクロプロセッサによって生成される映像信号に従って映像を表示する表示部とを備えることを特徴とする映像表示装置。
【請求項２】
第１のロック解除コードを含むメモリと、
前記第１のロック解除コードと入力装置によって前記第１のマイクロプロセッサに入力される第２のロック解除コードとを比較する比較部と、
前記比較部での比較結果が一致したときにロックを解除し前記映像表示装置の正常動作を許可するロック制御部とを備え、
前記文字列データが前記第２のロック解除コードに対応するデータを含む請求項１に記載の映像表示装置。
【請求項３】
テレビ受信機である請求項１又は請求項２に記載の映像表示装置。
【請求項４】
映像表示装置の第１のマイクロプロセッサが、文字コードと前記文字コードに対応する文字を表示する位置の情報又は前記文字コードに対応する文字の表示順序の情報とからなるデータ要素を複数有する文字列データを生成するステップ、及び
前記第１のマイクロプロセッサから送信されるデータを用いて映像信号を生成してその映像信号を前記映像表示装置の表示部に出力する前記映像表示装置の第２のマイクロプロセッサに、前記第１のマイクロプロセッサが前記文字列データを送信するステップとを備えることを特徴とする前記映像表示装置内でのデータ送信方法。
【発明の詳細な説明】
【技術分野】
【０００１】
本発明は、映像表示装置及び映像表示装置内でのデータ送信方法に関する。
【背景技術】
【０００２】
テレビ受信機などの映像表示装置は、電源制御やリモートコントロール信号（以下、リモコン信号と略す）の処理などを行うＣＰＵ（Central Processing Unit）（以下、副ＣＰＵという）と、映像データや音声データなどを処理するＣＰＵ（以下、主ＣＰＵという）を備えており、副ＣＰＵと主ＣＰＵとの間でＵＡＲＴ（Universal Asynchronous Receiver Transmitter：クロック非同期形シリアルインターフェース）などのシリアル通信手段を用いて情報のやり取りを行っている。
【０００３】
一般的に副ＣＰＵから主ＣＰＵへリモコン信号などのデータを送信する場合は、送信データを副ＣＰＵでASCII（American Standard Code for Information Interchange）コード化してＵＡＲＴ通信で主ＣＰＵへ送信する手法が用いられる。複数のデータを送信する場合、送信順序は副ＣＰＵで決定され、その決定された送信順序に応じて複数のデータが主ＣＰＵへ送信される。主ＣＰＵは、副ＣＰＵから受信した順序でデータ処理を行う。
【０００４】
【特許文献１】特許第３３５３３６３号公報
【発明の開示】
【発明が解決しようとする課題】
【０００５】
しかしながら、上記のようなデータ送信方法では、ノイズなどによる通信不良などで、主ＣＰＵが副ＣＰＵから送信されたデータを正常に受信できなかった場合に、主ＣＰＵと副ＣＰＵ間で状態認識にずれが発生してしまう。
【０００６】
本発明は、上記の状況に鑑み、二つのマイクロプロセッサ間で状態認識にずれが発生しないようにすることができる映像表示機器及び映像表示装置内でのデータ送信方法を提供することを目的とする。
【課題を解決するための手段】
【０００７】
上記目的を達成するために本発明に係る映像表示装置は、文字コードと前記文字コードに対応する文字を表示する位置の情報又は前記文字コードに対応する文字の表示順序の情報とからなるデータ要素を複数有する文字列データを送信する第１のマイクロプロセッサと、前記第１のマイクロプロセッサから送信される前記文字列データを受信し、前記文字列データを用いて映像信号を生成する第２のマイクロプロセッサと、前記第２のマイクロプロセッサによって生成される映像信号に従って映像を表示する表示部とを備えるようにする。尚、本発明においては、文字に数字や記号も含まれるものとする。
【０００８】
また、第１のロック解除コードを含むメモリと、前記第１のロック解除コードと入力装置によって前記第１のマイクロプロセッサに入力される第２のロック解除コードとを比較する比較部と、前記比較部での比較結果が一致したときにロックを解除し前記映像表示装置の正常動作を許可するロック制御部とを備え、盗難防止機能を有するようにし、さらに、前記文字列データが前記第２のロック解除コードに対応するデータを含むようにしてもよい。
【０００９】
また、前記映像表示装置の一例としては、テレビ受信機が挙げられる。
【００１０】
また、上記目的を達成するために本発明に係る映像表示装置内でのデータ送信方法は、前記映像表示装置の第１のマイクロプロセッサが、文字コードと前記文字コードに対応する文字を表示する位置の情報又は前記文字コードに対応する文字の表示順序の情報とからなるデータ要素を複数有する文字列データを生成するステップ、及び前記第１のマイクロプロセッサから送信されるデータを用いて映像信号を生成してその映像信号を前記映像表示装置の表示部に出力する前記映像表示装置の第２のマイクロプロセッサに、前記第１のマイクロプロセッサが前記文字列データを送信するステップとを備えるようにする。
【発明の効果】
【００１１】
本発明によると、第１のマイクロプロセッサが、文字コードと前記文字コードに対応する文字を表示する位置の情報又は前記文字コードに対応する文字の表示順序の情報とからなるデータ要素を複数有する文字列データを、第２のマイクロプロセッサに送信するので、二つのマイクロプロセッサ間で状態認識にずれが発生しないようにすることができる。
【発明を実施するための最良の形態】
【００１２】
本発明の実施形態について図面を参照して以下に説明する。本発明に係る映像表示装置として、ここでは、メモリに予め記録された第１のロック解除コードと、入力装置から入力される第２のロック解除コードが一致した際にのみ、正常に動作するようにしたテレビ受信機を例に挙げて説明する。正規の購入者は店頭などで正しい第２のロック解除コードを受け取れるため、当該テレビ受信機を問題なく使用できるが、正規に購入しない者は正しい第２のロック解除コードを入力できず、当該テレビ受信機を正常に動作させることができないため、当該テレビ受信機は盗難防止の効果を奏する。
【００１３】
図１は、本発明に係るテレビ受信機１００のブロック図である。本実施形態では、ＡＴＳＣ（Advanced Television Systems Committee）信号を受信するＵ．Ｓ．デジタルテレビ受信機を実施形態として説明する。
【００１４】
図１に示すテレビ受信機は、主ＣＰＵ１６、副ＣＰＵ１７の２つのマイクロプロセッサを備えている。主ＣＰＵ１６は、映像データや音声データなどを処理するマイクロプロセッサであって、音声プロセッサ５、映像プロセッサ８、加算器９、選局制御部１１、及びＯＳＤ（On Screen Display）回路１２を有している。副ＣＰＵ１７は、電源制御やリモコン信号の処理などを行うマイクロプロセッサである。
【００１５】
地上アンテナ１がデジタル地上放送波を受信し、受信信号をデジタル地上チューナ２に供給する。デジタル地上チューナ２は、主ＣＰＵ１６内の選局制御部１１からのチャンネル選択信号によって、物理チャンネルを選択する。デジタル地上チューナ２は、このチャンネル選択プロセスによって、映像／音声データを含む高周波８ＶＳＢ（8-level vestigial sideband）変調信号を、特定周波数の信号に変換する。また、デジタル地上チューナ２は、選択された物理チャンネルのデジタル変調信号を復調する８ＶＳＢ復調回路等を備えており、トランスポートストリームＴＳを出力する。
【００１６】
デマルチプレクサ（ＤＥＭＵＸ）３は、デジタル地上チューナ２から受け取ったトランスポートストリームＴＳを、所定のパケット即ちＭＰＥＧ−２の映像ストリーム、ＡＣ−３（ＡＣ−３はドルビーラボラトリーズライセンシングコーポレーションの登録商標）の音声ストリーム、及びＰＳＩＰ（Program and System Information Protocol）データに分割する。また、デマルチプレクサ３は、主ＣＰＵ１６内の選局制御部１１からプログラム選択信号を受け取る。デマルチプレクサ３は、映像ストリームと音声ストリームをＡＶ（Audio Video）デコーダ４に供給し、プログラム情報を含むＰＳＩＰデータを主ＣＰＵ１６の選局制御部１１に供給する。
【００１７】
複数の仮想チャンネルがトランスポートストリームＴＳに多重化されている。トランスポートストリームＴＳからＶＣＴ（virtual channel table）を収集し、その収集されたＶＣＴを参照して所定のパケットＩＤを確認することによって、複数の仮想チャンネルの中から何れか一つを選択することができる。
【００１８】
ＡＶデコーダ４は、ＭＰＥＧ−２ビットストリームをデコードするＭＰＥＧ映像デコーダ（不図示）と、音声ストリーム（ＡＣ−３ビットストリーム）をデコードするＡＣ−３デコーダ（不図示）とを備えている。ＡＶデコーダ４のＭＰＥＧ映像デコーダによって生成される映像データは主ＣＰＵ１６内の映像プロセッサ８に出力され、音声データは主ＣＰＵ１６内の音声プロセッサ５に出力される。
【００１９】
主ＣＰＵ１６内の映像プロセッサ８は、ＡＶデコーダ４から映像データを受け取り、Ｄ／Ａ変換を行うことによってアナログ映像信号を生成する。主ＣＰＵ１６内の音声プロセッサ５は、ＡＶデコーダ４から音声データを受け取り、Ｄ／Ａ変換を行うことによってアナログ音声信号を生成する。
【００２０】
主ＣＰＵ１６内のＯＳＤ回路１２は、副ＣＰＵ１７からの指示に基づいて、表示パターンを選択し、その選択した表示パターンに応じた映像信号を主ＣＰＵ１６内の加算器９に出力する。主ＣＰＵ１６内の加算器９は、ビットマップデータに基づく映像信号と、主ＣＰＵ１６内のＯＳＤ回路１２から受け取った映像信号とを加算し、その結果得られた映像信号を表示部（例えば、駆動回路を内蔵している薄型表示パネル）１０に供給する。
【００２１】
表示部１０は、主ＣＰＵ１６内の映像プロセッサ８から供給された映像信号に従って映像を表示する。また、主ＣＰＵ１６内の音声プロセッサ５からのアナログ音声信号は、増幅器６で増幅された後、スピーカ７から出力される。
【００２２】
リモコン送信機１３は、テレビ受信機に各種指示を送信する送信機である。このリモコン送信機１３に設けられた入力キー（図１において不図示）が操作されたとき、その入力キーに対応する指示である赤外線リモコン信号が発光部（不図示）から送信される。赤外線受光部１４はその赤外線リモコン信号を受光し、その赤外線リモコン信号を電気信号（電気リコモン信号）に変換し、その電気リモコン信号を副ＣＰＵ１７に供給する。
【００２３】
副ＣＰＵ１７は、赤外線受光部１４からの電気リモコン信号をデコードし、リモコン送信機１３からの指示を表すリモコンコードを得る。そのリモコンコードに従って、副ＣＰＵ１７は、チャンネル切換信号などのデータをＵＡＲＴなどの通信線１８を介して主ＣＰＵ１６に送信し、主ＣＰＵ１６内の選局制御部１１及びＯＳＤ回路１２を制御する。メモリ１５は、副ＣＰＵ１７に接続されている書き換え可能な不揮発性メモリ（例えばＥＥＰＲＯＭ（Electrically Erasable and Programmable Read Only Memory）やフラッシュメモリ等）であって、プラグラム情報、固体識別番号（例えばシリアル番号）、ロック解除コード、及びロックが解除されたか否かを示すフラグ（以下、ロック解除フラグという）を含む各種データを記憶している。
【００２４】
図２は、図１に示すテレビ受信機の製造工程の一部を示す図である。工場で製造された各テレビ受信機には固体識別番号（例えばシリアル番号）が付与される。固体識別番号（例えばシリアル番号）は、テレビ受信機の本体に固体識別番号（例えばシリアル番号）を示すバーコードを貼付することによって付与される。二次元コードのようなバーコード以外のコードを、バーコードの代わりに用いてもよい。
【００２５】
本実施形態では、製造プロセス２０において、テレビ受信機１台ごとに付与される固有の固体識別番号（例えばシリアル番号）をメモリ１５に保存する。
【００２６】
図２に示すように、製造プロセス２０において所定の工程を終えたテレビ受信機は、次の製造プロセス２１に移される。製造プロセス２１では、テレビ受信機に設けられた固体識別番号（例えばシリアル番号）を示すバーコードが、バーコードリーダ２３によって読み取られる。そして、固体識別番号（例えばシリアル番号）がＰＣ（personal computer）２４に入力される。ＰＣ２４は各固体識別番号（例えばシリアル番号）に対して一つであってそれぞれ異なるロック解除コードを生成するソフトウェアを有している。そのソフトウェアを用いてロック解除コードを生成している。その生成されたロック解除コードはライタ２５に転送される。
【００２７】
製造プロセス２２では、ロック解除コードが、ライタ２５によって、テレビ受信機のメモリ１５に書き込まれる。このライタ２５は、ＰＣ２４から受け取ったロック解除コードの信号を赤外線リモコン信号として送信するリモコン送信部であってもよい。ライタ２５から送信されるロック解除コードは、テレビ受信機の赤外線受光部１４によって受け取られ、副ＣＰＵ１７を経由してメモリ１５に記憶される（図１参照）。ロック解除コードを記憶しているテレビ受信機は、商品として配送される（プロセス２６）。
【００２８】
このようにして、一つのロック解除コードが一つの固体識別番号（例えばシリアル番号）に対応しテレビ受信機のメモリ１５に記憶される。さらに、ロック解除コードに対応する情報が生成される。固体識別番号（例えばシリアル番号）、ロック解除コードに対応する情報、及びロック解除コードは互いに対応している。また、ロック解除コードに対応する情報とロック解除コードとは一致するように生成される。
【００２９】
固体識別番号（例えばシリアル番号）の読み取り方は、どのような形態であってもよい。例えば、ＩＩＣ（Inter Integrated Circuit）バスを用いてもよい。この場合、製造プロセス２０においてメモリ１５に保存された固体識別番号（例えばシリアル番号）が、製造プロセス２１においてＩＩＣバスを経由してＰＣ２４に読み込まれる。
【００３０】
固体識別番号（例えばシリアル番号）に対応するロック解除コードはＰＣ２４において生成され、そのように生成されたロック解除コードはＩＩＣバスによってテレビ受信機のメモリ１５に書き込まれてもよい。また、ロック解除コードを生成するための情報は固体識別番号（例えばシリアル番号）に限定されず、どのようなものでもよい。例えば、テレビ受信機の製造日であってもよい。ロック解除コードを生成するための方法は、図２に示す方法に限定されず、どのような方法でもよい。
【００３１】
図３は、ロック解除コードに対応する情報を発行する手順を示す図である。製造プロセス３０において、テレビ受信機１００は梱包される。販売プロセス３１において、梱包されたテレビ受信機３３に貼付されている固体識別番号（例えばシリアル番号）を示すバーコードが、バーコードリーダ３４によって読み取られる。読み取られた固体識別番号（例えばシリアル番号）は、レジスタ装置３５にインポートされる。レジスタ装置３５は各固体識別番号（例えばシリアル番号）からロック解除コードに対応した情報を得ることができる。その得られたロック解除コードに対応した情報は、購入の記録を示すレシート３６に印刷され、購入者に手渡される（プロセス３２）。
【００３２】
ロック解除コードに対応した情報は、必ずしもレシートに印刷される必要はなく、どのような形態で購入者に与えられてもよい。例えば、レシートとは分離している用紙に印刷されていてもよい。また、固体識別番号（例えばシリアル番号）の読み取りは、バーコードリーダに限定されず、どのような形態でレジスタ装置に伝送されてもよい。例えば、固体識別番号（例えばシリアル番号）が店員によって直接レジスタ装置に入力されてもよい。また、固体識別番号（例えばシリアル番号）をレジスタ装置に伝送する代わりに、ロック解除コードに対応する情報が、他の装置に固体識別番号（例えばシリアル番号）を伝送することによって得られるようにしてもよい。また、ロック解除コードに対応する情報を得る時期はいつでもよい。
【００３３】
図４は、図１に示すテレビ受信機の操作フローチャートの一例を示す図である。先ず始めに、テレビ受信機の電源がオンになり（ステップＳ１）、テレビ受信機の副ＣＰＵ１７は、メモリ１５に記憶されているロック解除フラグに基づいて、映像等のロックが解除されているか否かを確認する（ステップＳ２）。映像等のロックが既に解除されていることが確認されると、副ＣＰＵ１７は主ＣＰＵ１６の通常動作を許可する。これにより、テレビ受信機は、チャンネル選択プリセット操作、映像表示、及び音声出力を開始する（ステップＳ９）。一方、映像等のロックがまだ解除されていないことが確認されると、副ＣＰＵ１７は主ＣＰＵ１６の通常動作を許可しない。これにより、映像がブロックされ音声がミュートにされる（ステップＳ３）。
【００３４】
その後、例えばロック解除コードの入力を要求する表示が、図５に説明するように、テレビ受信機の画面に表示される（ステップＳ４）。図５は、テレビ受信機１００と、リモートコントローラの一例であるリモコン送信機１３とを示している。リモコン送信機１３は多数の入力キー１３Ａを有している。テレビ受信機１００は表示画面１０Ａを有している。表示画面１０Ａは、“レシートに印刷されているパスワードをリモコン送信機の入力キーを用いて入力し、最後に承認キーを押して下さい”という表示、“お問い合わせ電話番号 1-800-877-5032”という表示、及び“シリアル番号 B7130514713879”という表示を表示している。図５中の表示領域Ｒ１は、入力されるロック解除コードを表示する領域であり、また、図５中の表示領域Ｒ２は、固体識別番号（ここではシリアル番号）を表示する領域である。
【００３５】
ステップＳ４では、まず副ＣＰＵ１７が、ロック解除コードの入力を要求する表示を行う旨の指示と、メモリ１５から読み出したシリアル番号とを通信線１８を介して主ＣＰＵ１６内のＯＳＤ回路１２に送信し、主ＣＰＵ１６内のＯＳＤ回路１２が、内部メモリ（不図示）に予め記憶している表示パターンの中から副ＣＰＵ１７の指示に従ってロック解除コードの入力を要求する表示パターンを選択し、その選択した表示パターンの表示領域Ｒ２（図５参照）にシリアル番号が表示されるような映像信号を生成し、その生成した映像信号を加算器９経由で表示部１０に出力する。これにより、テレビ受信機１００の表示画面１０Ａが図５に示すような表示になる。
【００３６】
また、図５に示す例では、上述したとおり、「お問い合わせ電話番号」と「シリアル番号」が表示されている。例えば、ロック解除コード（パスワード）が印刷されているレシート２８（図３参照）をユーザーが紛失したり汚したりして、ロック解除コード（パスワード）が判読不能になることがある。この場合、「お問い合わせ電話番号」に電話をかけて製造メーカーとコンタクトし、シリアル番号を伝えることによって、ユーザーは製造メーカーからロック解除コードを得ることができる。
【００３７】
製造メーカーは、内部管理用データベースを作成・保存しており、固体識別番号（ここではシリアル番号）をユーザーから聞くことによって、対応するロック解除コードをユーザーに伝えることができる。また、製造メーカーは、内部管理用データベースによって、固体識別番号（ここではシリアル番号）と盗難情報とを対で監視しており、どの固体識別番号（ここではシリアル番号）の製品が盗難品であるかを把握しているので、正規の購入者でない者が製造メーカーにコンタクトしても製造メーカーからロック解除コードを得ることができない。
【００３８】
また、図５に示す例では、ロック解除コードの入力を要求する画面表示の際に、領域Ｒ２の位置にシリアル番号を表示したが、固体識別番号（例えばシリアル番号）の表示はどのタイミングであってもよい。例えば、ユーザーがリモコン送信機に対して固体識別番号表示用の或る特殊なキー操作をした場合に、固体識別番号の表示が行われるようにしてもよい。
【００３９】
ステップＳ４の処理が終わると、表示画面１０Ａに表示された指示に従い、ユーザーは、リモートコントローラ等を用いて、ロック解除コードに対応する情報を入力する。そのとき、テレビ受信機は、ユーザーからの入力の有無を確認する（ステップＳ５）。入力が無ければ、映像がブロックされ音声がミュートにされる（ステップＳ３）。
【００４０】
一方、ロック解除コードに対応する情報の入力が有れば、例えば図６に示すような表示となる。ここでは、ロック解除コードが５桁の数字を用いる仕様である場合について説明する。ロック解除コードは、画面左端に表示される数字から順に１桁目、２桁目、３桁目、４桁目、５桁目となっており、図６に示す例では、１桁目の数字として“１”、２桁目の数字として“３”、３桁目の数字として“５”、４桁目の数字として“７”、５桁目の数字として“９”が入力された結果が表示領域Ｒ１に表示されている。
【００４１】
図７は、副ＣＰＵ１７がロック解除コードを主ＣＰＵ１６に送信するときの形式を示している。本実施形態では、図７のように、ロック解除コードの各桁（各データ要素）を８ビット構成とし、下位４ビットに実際に入力する文字（本実施形態では０〜９の数字）に対応する文字コード（本実施形態では数字の２進数表記と一致する）（図７のＮ１〜Ｎ５）を割り当て、上位４ビットに桁数即ち文字コードに対応する文字を表示する位置の情報（図７のＤ１〜Ｄ５）を割り当てている。１桁目の数字１を示すデータ要素は、“０００１ ０００１”であるので、１６進数表記で“１１”と表すことができる。また、２桁目の数字３を示すデータ要素は、“００１０ ００１１”であるので、１６進数表記で“２３”と表すことができる。また、３桁目の数字５を示すデータ要素は、“００１１ ０１０１”であるので、１６進数表記で“３５”と表すことができる。また、４桁目の数字７を示すデータ要素は、“０１００ ０１１１”であるので、１６進数表記で“４７”と表すことができる。また、５桁目の数字７を示すデータ要素は、“０１０１ １００１”であるので、１６進数表記で“５９”と表すことができる。
【００４２】
このように、実際に入力する文字に対応する文字コードと、その文字コードに対応する文字を表示する位置の情報とを一つのデータ要素とし、複数のデータ要素によって構成される文字列（ここではロック解除コード）を副ＣＰＵ１７から主ＣＰＵ１６に送信することにより、実際に入力する文字に対応する文字コードと、その文字コードに対応する文字を表示する位置の情報とに関する認識が副ＣＰＵ１７と主ＣＰＵ１６間で一致する。これにより、主ＣＰＵ１６は、文字列（ここではロック解除コード）の各文字の表示位置に誤りがない映像信号を生成することができる。尚、文字コードに対応する文字を表示する位置の情報の代わりに文字コードに対応する文字の表示順序の情報を実際に入力する文字に対応する文字コードとともに一つのデータ要素としても、同様の効果を得ることができる。文字コードに対応する文字の表示順序の情報は、例えば、上記１桁目の数字１と対になる場合は１番目であることを示す情報であり、上記２桁目の数字３と対になる場合は２番目であることを示す情報であり、上記３桁目の数字５と対になる場合は３番目であることを示す情報であり、上記４桁目の数字７と対になる場合は４番目であることを示す情報であり、上記５桁目の数字７と対になる場合は５番目であることを示す情報である。
【００４３】
ここで、比較のために、副ＣＰＵ１７がロック解除コードの各文字に関する情報だけをASCIIコード形式で主ＣＰＵ１６に送信する従来の方式を図８に示す。このように、表示する文字に関する情報だけを通信した場合、文字を表示する位置の情報を主ＣＰＵ１６が副ＣＰＵ１７から受け取っていないため、例えば、ノイズなどにより２桁目の数字のデータ要素を主ＣＰＵ１６が正常に受信できなかった場合、図９に示すように、３桁目の数字５の表示位置が２桁目にずれてしまうという問題が発生する。これに対して、本実施形態では、例えば、ノイズなどにより２桁目の数字のデータ要素を主ＣＰＵ１６が正常に受信できなかった場合でも、図１０に示すように、３桁目の数字５は３桁目の位置に正しく表示される。そして、２桁目が空白表示になることにより、ユーザーは、２桁目のデータ要素送信に異常があったことをすぐに認識することができ、直ちにロック解除コードの再入力操作を行うことができる。
【００４４】
そして、図６の状態で承認キーが押されると、入力されたロック解除コードに対応する情報がメモリ１５に保存されているロック解除コードと一致するか否かの確認をテレビ受信機の比較部が行う（ステップＳ６）。尚、本実施形態では、テレビ受信機の副ＣＰＵ１７がテレビ受信機の比較部として機能している。
【００４５】
入力されたロック解除コードがメモリ１５に保存されているロック解除コードと一致していることが確認されると、映像及び音声のロックが解除される（ステップＳ７）。ロックが解除されると、映像のブロック及び音声のミュートが解除され（ステップＳ８）、テレビ受信機は、チャンネル選択プリセット操作、映像表示、及び音声出力を開始する（ステップＳ９）。
【００４６】
一方、入力されたロック解除コードがメモリ１５に保存されているロック解除コードと一致していないことが確認されると、映像がブロックされ音声がミュートにされる（ステップＳ３）。
【００４７】
ロック解除コードを入力する手段は上述した例に特に限定されることはなく、どのような形態であってもよい。例えば、リモートコントローラを用いる代わりに、テレビ受信機に設けられる入力キーを用い、テレビ受信機に設けられる入力キーの操作状況に応じて副ＣＰＵ１７が主ＣＰＵ１６を制御するようにしてもよい。
【００４８】
また、テレビ受信機がロック解除コードの入力を要求するのはいつでもよい。例えば、テレビ受信機の電源がオンになったときや電源がオンになってから数秒経過したときでもよい。
【００４９】
また、上述した実施形態では、副ＣＰＵ１７がロック解除コードを主ＣＰＵ１６に送信するときの形式について詳述したが、副ＣＰＵ１７が固体識別番号（例えばシリアル番号）を主ＣＰＵ１６に送信するときの形式も、ロック解除コードの場合と同様にすることが望ましい。
【００５０】
本発明は、上述した実施形態に限定されない。例えば、テレビ受信機のみが図１〜図１０で説明されているが、図１〜図１０での説明は放送受信機能を有していない映像表示装置、いわゆるモニタ装置にも適用可能である。
【図面の簡単な説明】
【００５１】
【図１】は、本発明に係るテレビ受信機のブロック図である。
【図２】は、図１に示すテレビ受信機の製造プロセスの一部を示す図である。
【図３】は、ロック解除コードを発行する手順を示す図である。
【図４】は、図１に示すテレビ受信機の操作フローチャートの一例を示す図である。
【図５】は、ロック解除コードの入力を要求するテレビ受信機の画面の一例を示す図である。
【図６】は、ロック解除コードが入力された状態におけるテレビ受信機の画面の一例を示す図である。
【図７】は、図１に示すテレビ受信機において、副ＣＰＵがロック解除コードを主ＣＰＵに送信するときの形式を示している。
【図８】は、副ＣＰＵがロック解除コードを主ＣＰＵに送信するときの従来の形式を示している。
【図９】は、従来の形式でロック解除コード入力中にデータ送信エラーが起こった場合におけるテレビ受信機の画面の一例を示す図である。
【図１０】は、ロック解除コード入力中にデータ送信エラーが起こった場合における図１に示すテレビ受信機の画面の一例を示す図である。
【符号の説明】
【００５２】
１  地上アンテナ
２  デジタル地上チューナ
３  デマルチプレクサ
４  ＡＶデコーダ
５  音声プロセッサ
６  増幅器
７  スピーカ
８  映像プロセッサ
９  加算器
１０  表示部
１１  選局制御部
１２  ＯＳＤ回路
１３  リモコン送信機
１４  赤外線受光部
１５  メモリ
１６  主ＣＰＵ
１７  副ＣＰＵ
１８  通信線
２３  バーコードリーダ
２４  内部管理用ＰＣ
２５  ライタ
３３  梱包されたテレビ受信機
３４  バーコードリーダ
３５  レジスタ装置
３６  レシート
１００  テレビ受信機
【図１】
2009288367.tif 000003
【図２】
2009288367.tif 000004
【図３】
2009288367.tif 000005
【図４】
2009288367.tif 000006
【図５】
2009288367.tif 000007
【図６】
2009288367.tif 000008
【図７】
2009288367.tif 000009
【図８】
2009288367.tif 000010
【図９】
2009288367.tif 000011
【図１０】
2009288367.tif 000012